(57)【要約】【課題】天板材の縁部を化粧する押し出し形材を、容易に、かつ容易な事後調整、事後取り替え可能に、この天板材に取り付けることができるようにする。【解決手段】天板材１における縁部１３にある上面にはこの縁部１３に沿った溝１２が形成されている。押し出し形材２は、前記縁部１３にある端面１４をカバーする縦部分２０と、縦部分２０の上部から後方に延びる上横部分２１と、上横部分２１から下方に突き出す前記溝１２への入れ込み部分２２と、縦部分２０の下部から後方に延びる下横部分２３とを有している。入れ込み部分２２と下横部分２３の上面２３ａとのピッチｘが天板材１の厚さと略同じか又はそれより大きくなるようにしてあり、しかも、押し出し形材２の下横部分２３には、下横部分２３に形成された雌ねじ穴２３ｂにねじ付けられて上下に螺進退可能とされた締め込み軸体２５が備えられている。【選択図】図３
2006167270.tif 000002
【特許請求の範囲】
【請求項１】
天板材と、この天板材の少なくとも一部の縁部を縁取る金属製の押し出し形材とからなる天板であって、
天板材における前記縁取られる縁部にある上面には、この縁部に沿った溝が形成されており、
押し出し形材は、天板材における前記縁取られる縁部にある端面をカバーする縦部分と、この縦部分の上部から後方に延びる上横部分と、この上横部分から下方に突き出す前記溝への入れ込み部分と、縦部分の下部から後方に延びる下横部分とを有していると共に、
入れ込み部分と下横部分の上面とのピッチが天板材の厚さと略同じか又はそれより大きくなるようにしてあり、
しかも、押し出し形材の下横部分には、この下横部分に形成された雌ねじ穴にねじ付けられて上下に螺進退可能とされた締め込み軸体が備えられていることを特徴とする天板。
【請求項２】
天板材と、この天板材の少なくとも一部の縁部を縁取る金属製の押し出し形材と、アジャスタ体とからなる天板であって、
天板材における前記縁取られる縁部にある上面には、この縁部に沿った溝が形成されており、
押し出し形材は、天板材における前記縁取られる縁部にある端面をカバーする縦部分と、この縦部分の上部から後方に延びる上横部分と、この上横部分から下方に突き出す前記溝への入れ込み部分と、縦部分の下部の裏面から後方に突き出す下横部分とを有すると共に、下横部分の突き出し面に開口したアジャスタ体のはめ込み凹部を有しており、
アジャスタ体は、片一端側をはめ込み凹部へのはめ込み部とすると共に雌ねじ穴を備えた板片と、この板片の雌ねじ穴にねじ付けられて上下に螺進退可能とされた締め込み軸体とを有しており、
押し出し形材の前記入れ込み部分と下横部分の上面とのピッチが天板材の厚さと略同じか又はそれより大きくなるようにしてあることを特徴とする天板。
【請求項３】
天板材の溝にゴム又はゴム状弾性を備えたドライコーキング材が押し入れられていると共に、
押し出し形材における溝への入れ込み部分の内側面に、この入れ込み部分の下端に近づくに連れてこの入れ込み部分の肉厚を狭める向きに傾斜したドライコーキング材への接触面が形成されていることを特徴とする請求項１又は請求項２記載の天板。
【発明の詳細な説明】
【技術分野】
【０００１】
この発明は、厨房における各種の作業用天板、厨房設備としての食器棚上に備えられる天板、ダイニングテーブルなどのダイニングまわりに用いられる各種設備に備えられる天板、洗面化粧台などの洗面まわりの各種設備に備えられる天板、下駄箱などの玄関まわりの各種設備に備えられる天板などとして用いられる天板の改良に関する。
【背景技術】
【０００２】
厨房における各種の作業用天板などにあっては、天板を構成する天板材の縁部をこの天板材と同種の素材よりなる化粧板材によって縁取るようにしたものがある。
【０００３】
かかる化粧板材は主として接着により天板材に取り付けられていた。しかしこのようにした場合、接着剤が天板材の上面などにはみ出したりしないように、また、化粧板材と天板材との接し合う箇所（水切り部分）に隙間が生じないようにこの取り付けをなすなど、取り付けに熟練を要するところであった。また、取り付け後には微調整が行いがたく、事後に化粧板材に破損が生じたり水切り部分に隙間が生じたりした場合にはその修復が困難なものであった。
【発明の開示】
【発明が解決しようとする課題】
【０００４】
この発明が解決しようとする主たる問題点は、天板を構成する天板材の縁部を化粧する押し出し形材を、容易に、かつ容易な事後調整、事後取り替え可能に、この天板材に取り付けることができるようにする点にある。
【課題を解決するための手段】
【０００５】
前記問題点を解決するために、第一の発明にあっては、天板を以下の（１）〜（５）の構成を備えたものとした。
（１）天板材と、この天板材の少なくとも一部の縁部を縁取る金属製の押し出し形材とからなる天板であって、
（２）天板材における前記縁取られる縁部にある上面には、この縁部に沿った溝が形成されており、
（３）押し出し形材は、天板材における前記縁取られる縁部にある端面をカバーする縦部分と、この縦部分の上部から後方に延びる上横部分と、この上横部分から下方に突き出す前記溝への入れ込み部分と、縦部分の下部から後方に延びる下横部分とを有していると共に、
（４）入れ込み部分と下横部分の上面とのピッチが天板材の厚さと略同じか又はそれより大きくなるようにしてあり、
（５）しかも、押し出し形材の下横部分には、この下横部分に形成された雌ねじ穴にねじ付けられて上下に螺進退可能とされた締め込み軸体が備えられている。
【０００６】
かかる構成によれば、天板材における化粧すべき縁部に、この縁部を押し出し形材の上横部分と下横部分との間に入れ込ませた後、この縁部に沿って形成された溝に押し出し形材の入れ込み部分を入れ込み、この状態から締め込み軸体を締め込んでその軸上端を天板材の裏面に押し付けさせることにより、接着剤などを使用することなく適切に押し出し形材を備え付けさせることができる。
【０００７】
天板材の溝に入れ込まされた押し出し形材の入れ込み部分の外面とこの面に圧接されるべき溝の一方溝壁との突き合わせ箇所（水切り縁部分）に隙間が生じるなど、天板材への押し出し形材の取り付け状態が適切でない場合には、締め込み軸体の締め込みを緩めて押し出し形材の取り付け位置を事後的に調整して天板材の化粧すべき縁部が押し出し形材によって適切に化粧された状態に簡単に復帰させることができる。
【０００８】
また、押し出し形材が損耗などした場合には、天板材を傷つけることなく、この天板材から押し出し形材を取り外して新規の押し出し形材に容易に取り替えることができる。
【０００９】
また、前記問題点を解決するために、第二の発明にあっては、天板を以下の（１）〜（５）の構成を備えたものとした。
（１）天板材と、この天板材の少なくとも一部の縁部を縁取る金属製の押し出し形材と、アジャスタ体とからなる天板であって、
（３）天板材における前記縁取られる縁部にある上面には、この縁部に沿った溝が形成されており、
（４）押し出し形材は、天板材における前記縁取られる縁部にある端面をカバーする縦部分と、この縦部分の上部から後方に延びる上横部分と、この上横部分から下方に突き出す前記溝への入れ込み部分と、縦部分の下部の裏面から後方に突き出す下横部分とを有すると共に、下横部分の突き出し面に開口したアジャスタ体のはめ込み凹部を有しており、
（５）アジャスタ体は、片一端側をはめ込み凹部へのはめ込み部とすると共に雌ねじ穴を備えた板片と、この板片の雌ねじ穴にねじ付けられて上下に螺進退可能とされた締め込み軸体とを有しており、
（６）押し出し形材の前記入れ込み部分と下横部分の上面とのピッチが天板材の厚さと略同じか又はそれより大きくなるようにしてある。
【００１０】
かかる構成によれば、天板材における化粧すべき縁部に、この縁部を押し出し形材の上横部分と下横部分との間に入れ込ませた後、この縁部に沿って形成された溝に押し出し形材の入れ込み部分を入れ込み、この状態から締め込み軸体を締め込んでその軸上端を天板材の裏面に押し付けさせることにより、接着剤などを使用することなく適切に押し出し形材を備え付けさせることができる。
【００１１】
天板材の溝に入れ込まされた押し出し形材の入れ込み部分の外面とこの面に圧接されるべき溝の一方溝壁との突き合わせ箇所（水切り縁部分）に隙間が生じるなど、天板材への押し出し形材の取り付け状態が適切でない場合には、締め込み軸体の締め込みを緩めて押し出し形材の取り付け位置を事後的に調整して天板材の化粧すべき縁部が押し出し形材によって適切に化粧された状態に簡単に復帰させることができる。
【００１２】
また、押し出し形材が損耗などした場合には、天板材を傷つけることなく、この天板材から押し出し形材を取り外して新規の押し出し形材に容易に取り替えることができる。
【００１３】
また、かかる天板にあっては、締め込み軸体がアジャスタ体に設けられており、このアジャスタ体は前記はめ込み凹部にはめ込み部を入れ込ませて押し出し形材に組み合わされるようになっていることから、押し出し形材の所望の位置にアジャスタ体を、つまりは締め込み軸体を位置づけさせて前記締め込みをなすようにすることができる。
【００１４】
また、前記天板材の溝にゴム又はゴム状弾性を備えたドライコーキング材が押し入れられていると共に、
押し出し形材における溝への入れ込み部分の内側面に、この入れ込み部分の下端に近づくに連れてこの入れ込み部分の肉厚を狭める向きに傾斜したドライコーキング材への接触面を形成させておくこともある。
【００１５】
このようにした場合、天板材の溝に押し出し形材の入れ込み部分を入れ込むと前記向きに傾斜した接触面とドライコーキング材の弾性とによって入れ込み部分の外面とこの面に圧接されるべき溝の一方溝壁との突き合わせ箇所に隙間を生じさせない向きに、押し出し形材を寄せさせることができる。
【発明の効果】
【００１６】
この発明によれば、天板を構成する天板材の縁部を化粧する押し出し形材を、容易に、かつ容易な事後調整、事後取り替え可能に、この天板材に取り付けさせて天板を構成させることができる。
【発明を実施するための最良の形態】
【００１７】
以下、図１ないし図１５に基づいて、この発明を実施するための最良の形態について説明する。
【００１８】
なお、ここで図１ないし図８は、第一の実施の形態にかかる天板を、図９ないし図１５は、第二の実施の形態にかかる天板Ｐを、それぞれ示している。
【００１９】
この実施の形態にかかる天板Ｐは、厨房における各種の作業用天板、厨房設備としての食器棚上に備えられる天板、ダイニングテーブルなどのダイニングまわりに用いられる各種設備に備えられる天板、洗面化粧台などの洗面まわりの各種設備に備えられる天板、下駄箱などの玄関まわりの各種設備に備えられる天板などとして用いられるものである。
【００２０】
さらに、典型的には、かかる天板Ｐは、システムキッチンを構成する各種のフロアーキャビネットなどのキャビネット類の天板として、また、各種の機器を装備したフロアーキャビネットなどのキャビネットの天板として、さらには、食器棚、サイドボード、カクテルキャビネットなどの各種の収納家具や調度品などの天板として用いることができるものである。
【００２１】
（第一の実施の形態）
図１ないし図７に示される天板Ｐ’は、天板材１と押し出し形材２とから構成されている。
【００２２】
図示の例では、かかる天板材１は、人工大理石製の表板１０と、合板製の裏板１１とから構成されたものとなっている。
【００２３】
この天板材１における前記押し出し形材２によって縁取られる縁部１３にある上面には、この縁部１３に沿った溝１２が形成されている。すなわち、図示の例では、表板１０にかかる溝１２が形成されている。
【００２４】
押し出し形材２は、かかる天板材１の少なくとも一部の縁部１３を縁取るものであって、金属によって構成されている。
【００２５】
かかる押し出し形材２としては、各種金属の押し出し成形材、例えば、アルミニウム製の押し出し形材やアルミニウム合金製の押し出し形材などが用いられる。
【００２６】
かかる押し出し形材２は、
（１）天板材１における前記縁取られる縁部１３にある端面１４をカバーする縦部分２０と、
（２）この縦部分２０の上部から後方に延びる上横部分２１と、
（３）この上横部分２１から下方に突き出す前記溝１２への入れ込み部分２２と、
（４）縦部分２０の下部から後方に延びる下横部分２３とを有している。
【００２７】
図示の例では、縦部分２０は板面を鉛直に位置させた板状をなすように構成されている。また、上横部分２１はこの縦部分２０の上端から水平方向に突き出す板状をなすように構成されている。また、入れ込み部分２２はこの上横部分２１の後端に形成されている。また、縦部分２０の最下端にはこの最下端から後方に向けて水平に延びる板状をなすカバー部分２４が設けられており、図示の例では下横部分２３はこのカバー部分２４との間に間隔を開けてこのカバー部分２４よりも上方に設けられている。また、図示の例では、上横部分２１よりも下横部分２３の幅が大きく、かつ、この下横部分２３よりもカバー部分２４の幅が大きくなるように構成されている。
【００２８】
また、この実施の形態にあっては、入れ込み部分２２と下横部分２３の上面２３ａとのピッチｘが天板材１の厚さと略同じか又はそれより大きくなるようにしてある。
【００２９】
また、かかる押し出し形材２の下横部分２３には、この下横部分２３に形成された雌ねじ穴２３ｂにねじ付けられて上下に螺進退可能とされた締め込み軸体２５が備えられている。
【００３０】
図示の例では、かかる締め込み軸体２５は、外周部に雄ねじ部２５ａを備えていると共に、軸下端に円盤状をなす頭部２５ｂを有している。この頭部２５ｂの下面には図示しないドライバなどの工具先端がはまる操作用の穴などが必要に応じて形成される。
【００３１】
かかる締め込み軸体２５は、典型的には、押し出し形材２に、この押し出し形材２の長さ方向において隣り合う締め込み軸体２５との間に間隔を開けて、複数個備えられる。また、図示の例では、前記カバー部分２４における締め込み軸体２５の備えられる位置の直下に、この締め込み軸体２５の頭部２５ｂの納まる大きさの貫通孔２４ａを形成させている。
【００３２】
この実施の形態にかかる天板Ｐ’は、これを構成する天板材１における化粧すべき縁部１３に、この縁部１３を押し出し形材２の上横部分２１と下横部分２３との間に入れ込ませた後、（図２）この縁部１３に沿って形成された溝１２に押し出し形材２の入れ込み部分２２を入れ込み、この状態から締め込み軸体２５を締め込んでその軸上端を天板材１の裏面に押し付けさせることにより、（図３）接着剤などを使用することなく適切に押し出し形材２を備え付けさせるようにして構成することができる。
【００３３】
天板材１の溝１２に入れ込まされた押し出し形材２の入れ込み部分２２の外面２２ａ（入れ込み部分２２における縦部分２０の内面に向き合わない側の面）とこの面に圧接されるべき溝１２の一方溝壁１２ａとの突き合わせ箇所（水切り縁部分）に隙間が生じるなど、天板材１への押し出し形材２の取り付け状態が適切でない場合には、締め込み軸体２５の締め込みを緩めて押し出し形材２の取り付け位置を事後的に調整して天板材１の化粧すべき縁部が押し出し形材２によって適切に化粧された状態に簡単に復帰させることができる。
【００３４】
また、押し出し形材２が損耗などした場合には、天板材１を傷つけることなく、この天板材１から押し出し形材２を取り外して新規の押し出し形材２に容易に取り替えることができる。
【００３５】
図６は、かかる天板Ｐ’をシステムキッチンのシンクＳのカウンターＳｐを構成する天板として、また、図７はかかる天板Ｐ’を洗面化粧台ＫのカウンターＫｐを構成する天板として利用した例を示したものである。これらの例にあっては、これらのカウンターＳｐ、Ｋｐの前端となる天板材１の縁部１３を押し出し形材２によって化粧させている。
【００３６】
なお、図示の例にあっては、天板材１の裏面であって締め込み軸体２５の軸上端の直上位置にこの軸上端を納める幅の溝１５をさらに形成させている。
【００３７】
また、この図１ないし図７に示される例にあっては、天板材１の溝１２にゴム又はゴム状弾性を備えたドライコーキング材１２ｂが押し入れられていると共に、
押し出し形材２における溝１２への入れ込み部分２２の内側面に、この入れ込み部分２２の下端に近づくに連れてこの入れ込み部分２２の肉厚を狭める向きに傾斜したドライコーキング材１２ｂへの接触面２２ｂが形成されている。
【００３８】
これにより、この例にあっては、天板材１の溝１２に押し出し形材２の入れ込み部分２２を入れ込むと前記向きに傾斜した接触面２２ｂとドライコーキング材１２ｂの弾性とによって入れ込み部分２２の外面２２ａとこの面に圧接されるべき溝の一方溝壁１２ａとの突き合わせ箇所に隙間を生じさせない向きに、押し出し形材２を寄せさせることができる。
【００３９】
図８は、以上に説明した天板Ｐ’を構成する押し出し形材２のカバー部分２４の後端から上方に突き出す後方カバー部分２４ｂをさらに形成させた例を示している。後方カバー部分２４ｂの上端は下横部分２３の上面２３ａと略同レベルにあり、かつ、両者の間には間隔が形成されている。
【００４０】
（第二の実施の形態）
図９ないし図１４に示される天板Ｐ”は、天板材１と押し出し形材２とアジャスタ体４とから構成されている。
【００４１】
図示の例では、かかる天板材１は、人工大理石製の表板１０と、合板製の裏板１１とから構成されたものとなっている。
【００４２】
この天板材１における前記押し出し形材２によって縁取られる縁部１３にある上面には、この縁部１３に沿った溝１２が形成されている。すなわち、図示の例では、表板１０にかかる溝１２が形成されている。
【００４３】
押し出し形材２は、かかる天板材１の少なくとも一部の縁部１３を縁取るものであって、金属によって構成されている。
【００４４】
かかる押し出し形材２としては、各種金属の押し出し成形材、例えば、アルミニウム製の押し出し形材やアルミニウム合金製の押し出し形材などが用いられる。
【００４５】
かかる押し出し形材２は、
（１）天板材１における前記縁取られる縁部１３にある端面１４をカバーする縦部分２０と、
（２）この縦部分２０の上部から後方に延びる上横部分２１と、
（３）この上横部分２１から下方に突き出す前記溝１２への入れ込み部分２２と、
（４）縦部分２０の下部の裏面から後方に突き出す下横部分２３とを有すると共に、
（５）下横部分２３の突き出し面２３ｃに開口したアジャスタ体４のはめ込み凹部２６を有している。
【００４６】
図示の例では、縦部分２０は板面を鉛直に位置させた板状をなすように構成されている。また、上横部分２１はこの縦部分２０の上端から水平方向に突き出す板状をなすように構成されている。また、入れ込み部分２２はこの上横部分２１の後端に形成されている。また、下横部分２３は、上面２３ａと背面（突き出し面２３ｃ）と底面２３ｄとを備えたブロック状をなすように構成されている。また、この下横部分２３の底面２３ｄにはこの底面２３ｄに前端側をネジ止めされた板状をなすカバー部分３が備え付けられるようになっている。図示の例では、上横部分２１よりも下横部分２３の幅（縦部分２０からの突き出し寸法）がやや大きく、かつ、この下横部分２３よりもカバー部分３の幅が大きくなるように構成されている。また、はめ込み凹部２６は、下横部分２３の肉厚内に設けられていると共に、凹部入り口２６ａから奥に向かうに連れて次第に上方に近づく向きに凹部上壁２６ｂおよび下壁２６ｃを共に湾曲させている。
【００４７】
また、この実施の形態にあっては、入れ込み部分２２と下横部分２３の上面２３ａとのピッチｘが天板材１の厚さと略同じか又はそれより大きくなるようにしてある。
【００４８】
アジャスタ体４は、片一端側をはめ込み凹部２６へのはめ込み部４０ａとすると共に雌ねじ穴４０ｂを備えた板片４０と、この板片４０の雌ねじ穴４０ｂにねじ付けられて上下に螺進退可能とされた締め込み軸体４１とを有している。
【００４９】
図示の例では、かかる板片４０は、上面４０ｃと下面４０ｄとを備えていると共に、その片一端側の縦断面形状をはめ込み凹部２６の凹部内形状に倣った形状とするように構成されている。雌ねじ穴４０ｂは、この板片４０の片他端側に形成されている。
【００５０】
また、図示の例では、かかる締め込み軸体４１は、外周部に雄ねじ部４１ａを備えていると共に、軸下端に丸頭状をなす頭部４１ｂを有している。この頭部４１ｂの下面にはドライバなどの工具先端がはまる操作用の溝４１ｃが形成されている。
【００５１】
かかる板片４０は、前記断面形状を備えた各種金属の押し出し成形材を、その幅方向に沿って切断することにより容易に得ることができる。
【００５２】
かかるアジャスタ体４は、典型的には、押し出し形材２に、この押し出し形材２の長さ方向において隣り合う締め込み軸体４１との間に間隔を開けるようにして、複数個備えられる。なお、図示の例では、前記カバー部分３を外した状態でこの締め込み軸体４１の後述する締め込みがなされるようになっている。
【００５３】
この実施の形態にかかる天板Ｐ”は、これを構成する天板材１における化粧すべき縁部１３に、この縁部１３を押し出し形材２の上横部分２１と下横部分２３との間に入れ込ませた後、（図１０）この縁部１３に沿って形成された溝１２に押し出し形材２の入れ込み部分２２を入れ込み、この状態から締め込み軸体４１を締め込んでその軸上端を天板材１の裏面に押し付けさせることにより、（図１１）接着剤などを使用することなく適切に押し出し形材２を備え付けさせるようにして構成することができる。
【００５４】
天板材１の溝１２に入れ込まされた押し出し形材２の入れ込み部分２２の外面２２ａ（入れ込み部分２２における縦部分２０の内面に向き合わない側の面）とこの面に圧接されるべき溝１２の一方溝壁１２ａとの突き合わせ箇所（水切り縁部分）に隙間が生じるなど、天板材１への押し出し形材２の取り付け状態が適切でない場合には、締め込み軸体４１の締め込みを緩めて押し出し形材２の取り付け位置を事後的に調整して天板材１の化粧すべき縁部１３が押し出し形材２によって適切に化粧された状態に簡単に復帰させることができる。
【００５５】
また、押し出し形材２が損耗などした場合には、天板材１を傷つけることなく、この天板材１から押し出し形材２を取り外して新規の押し出し形材２に容易に取り替えることができる。
【００５６】
また、この実施の形態にかかる天板Ｐ”にあっては、締め込み軸体４１がアジャスタ体４に設けられており、このアジャスタ体４は前記はめ込み凹部２６にはめ込み部４０ａを入れ込ませて押し出し形材２に組み合わされるようになっていることから、押し出し形材２の所望の位置にアジャスタ体４を、つまりは締め込み軸体４１を位置づけさせて前記締め込みをなすようにすることができる。
【００５７】
図１３は、かかる天板Ｐ”をシステムキッチンのシンクＳのカウンターＳｐを構成する天板として、また、図１４はかかる天板Ｐ”を洗面化粧台ＫのカウンターＫｐを構成する天板として利用した例を示したものである。これらの例にあっては、これらのカウンターＳｐ、Ｋｐの前端となる天板材１の縁部１３を押し出し形材２によって化粧させている。
【００５８】
なお、図示の例にあっては、天板材１の裏面であって締め込み軸体４１の軸上端の直上位置にこの軸上端を納める幅の溝１５をさらに形成させている。
【００５９】
また、この図９ないし図１４に示される例にあっては、天板材１の溝１２にゴム又はゴム状弾性を備えたドライコーキング材１２ｂが押し入れられていると共に、
押し出し形材２における溝１２への入れ込み部分２２の内側面に、この入れ込み部分２２の下端に近づくに連れてこの入れ込み部分２２の肉厚を狭める向きに傾斜したドライコーキング材１２ｂへの接触面２２ｂが形成されている。
【００６０】
これにより、この例にあっては、天板材１の溝１２に押し出し形材２の入れ込み部分２２を入れ込むと前記向きに傾斜した接触面２２ｂとドライコーキング材１２ｂの弾性とによって入れ込み部分２２の外面２２ａとこの面に圧接されるべき溝１２の一方溝壁１２ａとの突き合わせ箇所に隙間を生じさせない向きに、押し出し形材２を寄せさせることができる。
【００６１】
図１５は、以上に説明した天板Ｐ”を構成する押し出し形材２に組み付けられるカバー部分３に、その後端から上方に突き出す後方カバー部分３０をさらに形成させた例を示している。後方カバー部分３０の上端は天板材１の裏面に突き当たるようになっている。
【図面の簡単な説明】
【００６２】
【図１】第一の実施の形態にかかる押し出し形材２の斜視図
【図２】同取り付け過程を示した断面図
【図３】同取り付け状態を示した断面図
【図４】図３の要部拡大図
【図５】天板Ｐ’の利用状態を示した斜視図
【図６】天板Ｐ’の利用状態を示した断面図
【図７】天板Ｐ’の利用状態を示した断面図
【図８】図１〜図７に示される天板Ｐ”の押し出し形材２の構成の一部を変更した例を示した断面図
【図９】第二の実施の形態にかかる押し出し形材２、アジャスタ体４を構成する板片４０、および、カバー部分３の分離斜視図
【図１０】同取り付け過程を示した断面図
【図１１】同取り付け状態を示した断面図
【図１２】天板Ｐ”の利用状態を示した斜視図
【図１３】天板Ｐ”の利用状態を示した断面図
【図１４】天板Ｐ”の利用状態を示した断面図
【図１５】図９〜図１４に示される天板Ｐ”の押し出し形材２の構成の一部を変更した例を示した断面図
【符号の説明】
【００６３】
Ｐ  天板
１  天板材
１２  溝
１３  縁部
１４  端面
２  押し出し形材
２０  縦部分
２１  上横部分
２２  入れ込み部分
２３  下横部分
２３ａ  上面
２３ｂ  雌ねじ穴
２３ｃ  突き出し面
２５  締め込み軸体
２６  はめ込み凹部
４  アジャスタ体
４０  板片
４０ａ  はめ込み部
４０ｂ  雌ねじ穴
４１  締め込み軸体
【図１】
2006167270.tif 000003
【図２】
2006167270.tif 000004
【図３】
2006167270.tif 000005
【図４】
2006167270.tif 000006
【図５】
2006167270.tif 000007
【図６】
2006167270.tif 000008
【図７】
2006167270.tif 000009
【図８】
2006167270.tif 000010
【図９】
2006167270.tif 000011
【図１０】
2006167270.tif 000012
【図１１】
2006167270.tif 000013
【図１２】
2006167270.tif 000014
【図１３】
2006167270.tif 000015
【図１４】
2006167270.tif 000016
【図１５】
2006167270.tif 000017